(57)【要約】  本発明は，ストラップ類取付用の孔や吊り手がついていない携帯型電子機器にストラップやアクセサリー等を取り付けられるようにして，携帯型電子機器の取り落とし防止を図ることを目的とする。  コネクター類（１０）を差し込む接続口（１６）を有し，接続口（１６）内に突出した左右方向の突部を有する内蔵バネを備えている携帯型電子機器について，コネクター類（１０）は，携帯型電子機器の接続口（１６）に差し込む差し込み部（１２）を有し，かつ，内蔵バネの突部に引っ掛かり得る引っ掛かり部（２３，２４）を有する接続部材（３１，３２）を本体内部に備えており，接続部材（３１，３２）を左右方向へ移動させるために，差し込み部（１２）を差し込む方向へ本体にスライド可能に設けた操作部材（１３）と，操作部材（１３）のスライド操作を接続部材（３１，３２）の左右方向移動に変換するために操作部材（１３）と一体に設けた係合子（３７，３８）と，係合子（３７，３８）と係合するように接続部材（３１，３２）に設けたカム部（２７，２８）を備えている。
2016103363.tif 000002
【特許請求の範囲】
【請求項１】
コネクター類を差し込む接続口を有し、上記接続口内に突出した左右方向の突部を有する内蔵バネを備えている携帯型電子機器において、コネクター類は携帯型電子機器の接続口に差し込む差し込み部を有し、かつ、内蔵バネの突部に引っ掛かり得る引っ掛かり部を有する接続部材を本体内部に備えており、接続部材を左右方向へ移動させるために、差し込み部を差し込む方向へ本体にスライド可能に設けた操作部材と、操作部材のスライド操作を接続部材の左右方向移動に変換するために操作部材と一体に設けた係合子と、上記係合子と係合するように接続部材に設けたカム部を備えて構成されていることを特徴とするコネクター類の接続装置。
【請求項２】
接続部材は左右一対の開閉レバーから成り、上記開閉レバーは引っ掛かり部をそれぞれの先端部に有する一方、カム部を基端部の側に有しており、先端部と基端部との間に支点を有し、支点を中心として回転可能に構成されている請求項１記載の携帯型電子機器におけるコネクター類の接続装置。
【請求項３】
左右一対の開閉レバーは、先端部に左右側方へ向いた引っ掛かり部を有し、基端部の左右側面にカム部を有する、左右対称の形状を有しており、カム部は、先端部と基端部との間に設けられている支点よりも基端部側にあって、支点方向へ向かって左右方向の幅が広がる形態に構成されている請求項１記載の携帯型電子機器におけるコネクター類の接続装置。
【発明の詳細な説明】
【技術分野】
【０００１】  本発明は、コネクター類を差し込む接続口を有し、上記接続口内に突出した左右方向の突部を有する内蔵バネを備えている携帯型電子機器において、コネクター類を着脱するための接続装置に関するものである。
【背景技術】
【０００２】  スマートフォンに代表される多機能携帯電話等の携帯型電子機器は、接続端子すなわちコネクター類を用いて外部機器との接続が行なわれる。コネクター類の接続手段として、携帯型電子機器の側に接続口が設けられており、コネクター類を接続口へ接続することにより、電気的に、また、機械的にも接続された状態となる。機械的な接続の保持能力は、携帯型電子機器を吊り下げた状態において直ぐには抜け出さない程度のレベルであり、ほとんど接続部分に働く摩擦に頼っている程度と言って良い。しかも抜け止め機構を備えていないため、接続の摩擦力を越える力が働けば、ほとんど抵抗なく外れてしまうことは容易に推測可能である。【０００３】  摩擦力のみを使用する技術は、例えば、特開２００５−０６５００５号に見ることができるが、その一方で接続部が簡単には外れないようにする機構についても、従来から種々対策が施されて来た。携帯型電子機器の側にコネクターの接続部を引っ掛けることができる構造がある場合は、その構造を利用してコネクター側にフック等を設けることにより、比較的容易に脱落防止対策を施すことができる。これに対して、最近、従来とは逆にコネクター側に引っ掛ける凹凸構造を備えた携帯型電子機器が提供されるようになった。このような構造を持つものについては従来型の脱落防止構造を適用することができないため、新たな対策を講じる必要が生じて来た。【０００４】  上記の新たな携帯型電子機器は、コネクター類を接続する受け口と、その受け口に接続したコネクターの部分を挟むように内部に配置された、突部を有する一対の内蔵バネを備えており、上記突部と凹凸構造を係合させ、かつ、内蔵バネによりコネクターを挟持するようになっている。上記の構造を有する先行技術を調査したところ、同一又は類似構造のものは見当たらなかったが、両側から対象物を挟み込む構造を持った携帯型電子機器の接続例として特開２００６−１５７９８２号が見出された。同号の発明はアダプターに関するもので、アダプター本体の携帯電話機装着部に複数対のリブと係止爪とを備えている。しかし、新たな携帯型電子機器の接続部は非常に小型であり、複数対の構造を組み込むには複雑過ぎ、また、空間的には余地がないと考えられる。【０００５】
【特許文献１】特開２００５−０６５００５号
【特許文献２】特開２００６−１５７９８２号
【発明の開示】
【発明が解決しようとする課題】
【０００６】  本発明は前記の実情に鑑みてなされたもので、その課題は、ストラップ類を取り付ける孔や吊り手がついていない携帯型電子機器にストラップやアクセサリー等を取り付けられるようにして、携帯型電子機器の取り落し防止を図ることができる携帯型電子機器におけるコネクター類の接続装置を提供することである。また、本発明の他の課題は、極めて小さい接続口を備えるだけの携帯型電子機器であっても、引っ掛かり手段を用いてコネクター類を確実に接続し、携帯型電子機器を落下等の損傷から守ることである。また、本発明の他の課題は、携帯型電子機器の内蔵バネのみを利用して、コネクター類のバネを不要にすることである。
【課題を解決するための手段】
【０００７】  前記の課題を解決するため、本発明はコネクター類を差し込む接続口を有し、上記接続口内に突出した左右方向の突部を有する内蔵バネを備えている携帯型電子機器において、コネクター類が携帯型電子機器の接続口に差し込む差し込み部を有し、かつ、内蔵バネの突部に引っ掛かり得る引っ掛かり部を有する接続部材を本体内部に備えており、接続部材を左右方向へ移動させるために、差し込み部を差し込む方向へ本体にスライド可能に設けた操作部材と、操作部材のスライド操作を接続部材の左右方向移動に変換するために操作部材と一体に設けた係合子と、上記係合子と係合するように接続部材に設けられたカム部を備えて構成するという手段を講じたものである。上記引っ掛かり部は、差し込み部を接続口に差し込む際に内蔵バネの突部に引っ掛からず、上記突部を通過後に引っ掛かるように、左右方向へ移動可能に設けられている。【０００８】  本発明の対象となるものは、前記したとおり、コネクター類を差し込む接続口を有し、上記接続口内に突出した左右方向の突部を有する内蔵バネを備えている携帯型電子機器である。この型の携帯型電子機器は、内蔵バネによりコネクター類の差し込み部側を挟持する基本構造を有しており、突部を有する内蔵バネの弾性作用による挟持力がコネクター類を保持する力として作用する。本発明に係るコネクター類の接続装置では、コネクター類を接続口に接続することにより、内蔵バネに対して一定の作用を及ぼし、その結果の弾性反力によって、一種のロックを掛けることで、コネクター類の抜け止めがなされるように構成されている。【０００９】  そのために、本発明は、コネクター類が携帯型電子機器の接続口に差し込む差し込み部を有しており、かつ、内蔵バネの突部に引っ掛かり得る引っ掛かり部を有する接続部材を本体内部に備えており、引っ掛かり部は、差し込み部を接続口に差し込む際に内蔵バネの突部に引っ掛からず、上記突部を通過後に引っ掛かるように、左右方向へ移動可能に設けられているものである。上記の引っ掛かり部は、内蔵バネに引っ掛かり得るものであるが、その引っ掛かりは抜け出し方向への外力が作用した場合に起こり、それによって差し込み部の抜け出しを防止する。【００１０】  上記接続部材を左右方向へ移動させるために、差し込み部を差し込む方向へ本体にスライド可能に設けた操作部材と、操作部材のスライド操作を接続部材の左右方向移動に変換するために操作部材と一体に設けた係合子と、上記係合子と係合するように接続部材に設けられたカム部を備えて構成されている。上記接続部材は、差し込み口への差し込み後、操作部材のスライド操作によって係合子がカム部をスライドすることで、引っ掛かり部が内蔵バネの突部左右方向、かつ、外方へ押し広げるために、あたかもロックが掛かったようにして、接続状態となるものである。【００１１】  本発明の接続装置において、コネクター類が携帯型電子機器に対し接続状態になると、内蔵バネの反力は接続部材に及び、これを左右方向逆方向へ押し返し、接続部材はカム部にて係合子を押し返す状態になる。係合子にも押し返す力が発生するが左右方向であり、操作部材のスライド方向とはほぼ直交方向であるので、押し返す力は先端の引っ掛��り部までを緊張状態に保つ。よって、クリック感が得られるとともに、ロックが掛かった状態を保つ。【００１２】  内蔵バネは左右一対備わっているものが一般的であるが、片側のみに内蔵バネがあり、他側はスライド構造になっている構造のものも、本発明の装置として実施可能である。すなわち、接続部材は左右一対の開閉レバーから成り、上記開閉レバーは引っ掛かり部をそれぞれの先端部に有する一方、カム部を基端部の側に有しており、先端部と基端部との間に支点を有し、支点を中心として回転可能に構成される。【００１３】  また、左右一対の開閉レバーは、先端部に左右側方へ向いた引っ掛かり部を有し、基端部側の左右側面にカム部を有する、左右対称の形状を有しており、カム部は、先端部と基端部との間に設けられている支点よりも基端部側にあって、支点方向へ向かって左右方向の幅が変化する形態に構成することができる。この場合、幅が変化する形態に沿って係合子を移動させることで先端部が移動する形態になる。
【発明の効果】
【００１４】  本発明は以上のように構成され、かつ作用するものであるから、特に、ストラップ類を取り付ける孔や吊り手がついていない携帯型電子機器に適用して、ストラップやアクセサリー等を取り付けられるとともに、携帯型電子機器の取り落し防止を図ることができるという効果を奏する。また、本発明によれば、極めて小さい接続口を備えるだけの携帯型電子機器であっても、引っ掛かり手段を用いてコネクター類を確実に接続し、携帯型電子機器を落下等の損傷から守ることができる。さらに、本発明によれば、携帯型電子機器の内蔵バネのみを利用してコネクター類の接続をロックが掛かった状態にすることができ、コネクター類にはバネを設ける必要がないという効果を奏する。
【発明を実施するための最良の形態】
【００１５】  以下図示の実施形態を参照して本発明をより詳細に説明する。図１は本発明に係る接続装置を適用したコネクター類１０の外観を示したもので、コネクター類の本体１１と、差し込み部１２と、操作部材１３と、ストラップ類の取り付け部１４とを有している。上記本体１１は、前後（又は表裏）二部材４０、４１から構成されている。図２は、携帯型電子機器１５として、ｉＰｈｏｎｅ（商品名）を示したもので、コネクター類１０は、上記の携帯型電子機器１５に備わっているＬｉｇｈｔｎｉｎｇコネクタ（商品名）用のものである。【００１６】  本発明に係るコネクター類１０は上記携帯型電子機器１５に接続するもので、接続状態は図５に詳細に示されている。実施形態の携帯型電子機器１５は、接続口１６と、上記接続口１６に接続したコネクター類１０の部分（具体的には後述する差し込み部１２）を挟むように配置された、左右の内蔵バネ１７、１８を備えて構成されており（図５）、各内蔵バネ１７、１８の夫々が突部１９、２０を有している。バネ体２１それ自体は部材３４に固定され、部材３４は、携帯型電子機器１５の外壁部分２２に開口した接続口１６の内部に取り付けられている。【００１７】  図示の例における一対の内蔵バネ１７、１８は、正面形状がほぼΩ字型のバネ体２１の一部として形成されている。左右対称のΩ字型形状の両端部は接続口１６に向いていて、その端部の近くに上記の突部１９、２０が設けられている。左右方向の突部１９、２０は対向した配置を取り、かつ、バネ体２１の中心へ向って突出している。これら一対の突部１９、２０は、その部分が内方へ突出し（凸状）、突部１９、２０よりも内側（奥）の部分がへこんだ（凹状）形状から成る凹凸構造になっている。本発明はこの凹凸構造をコネクター類の接続装置の一部として利用するものである。【００１８】  本発明の接続装置は、上記携帯型電子機器１５に接続口１６にて差し込まれ、接続される接続部材を本体内部に備えている。その接続部材は前記の差し込み部１２と、一対の内蔵バネ１７、１８の突部１９、２０に引っ掛けることができる引っ掛かり部２３、２４を備えている。上記接続部材は、差し込み部１２を接続口１６に差し込む際に、引っ掛かり部２３、２４が、内蔵バネ１７、１８の突部１９、２０に引っ掛からず、上記突部１９、２０を通過後に引っ掛かるように、左右方向へ移動可能に設けられるという基本的構成を有している。引っ掛かるとは、そのままでは取り外せない状態にあることである。【００１９】  接続部材は、実施形態の場合、左右一対の開閉レバー３１、３２から構成されている。一対の開閉レバー３１、３２は上記引っ掛かり部２３、２４をそれぞれの先端部に有する一方、カム部２７、２８を基端部の側に有しており、先端部と基端部との間の任意の位置に支点２９、３０を有し、支点２９、３０を中心として回転可能に構成されている。上記引っ掛かり部２３、２４は、開閉レバー３１、３２の先端部にあって、前記の突部１９、２０を入り込ませる湾入部２５、２６を形成するように、差し込み部１２の範囲内にて左右側方へ突き出し、ほぼＬ字型の先端部をなしている。【００２０】  上記引っ掛かり部２３、２４は、操作部材であるスライドボタ��１３の操作により差し込み部１２の範囲を超えて側方へ突出する。そのために、差し込み部１２の左右両側には小開口１２ａ、１２ｂが形成されている。湾入部２５、２６の下方はクランク部２５ａ、２６ａを介して支点２９、３０の方向へ延びており、開閉レバー３１、３２が閉じた状態においてそれぞれの背面が中央部の縦材３３に接するようになる。支点２９、３０は、本体１１に取り付けられている支軸３５、３６と係合して、開閉レバー３１、３２が回転可能であるように構成されている。上記支点２９、３０は、中央部に向かって低くなる傾斜の切り込み口の形態に形成され、開閉レバー３１、３２を閉じる方向へ付勢する手段の一つにもなっている。【００２１】  本発明の接続装置は、上記接続部材を左右方向へ移動させるために、差し込み部１２を差し込む方向（縦方向とする）へ本体１１にスライド可能に設けた操作部材１３と、操作部材１３の縦方向移動を接続部材の左右方向移動に変換するために操作部材１３と一体に設けた係合子３７、３８と、上記係合子３７、３８と係合するように接続部材に設けられた前述のカム部２７、２８を備えて構成されている。【００２２】  操作部材１３は、本体１１を構成する二部材４０、４１の内の一方の部材４０に形成された、縦方向の長孔から成る開口３９にて縦方向へ移動可能に設けられている。図示の操作部材１３は、上記一方の部材４０の内面に配置される基部１３ｂと、その外面に凸状に設けた突部１３ａとから成り、突部１３ａは開口３９から外部に露出し、基部１３ｂの内面には上記係合子３７、３８が取り付けられる構造を有している。【００２３】  カム部２７、２８は、開閉レバー３１、３２が閉じた状態において、上記係合子３７、３８と係合し得るような間隔に設けられている（図４参照）。カム部２７、２８には、係合子３７、３８との係合によって開閉レバー３１、３２の期端部を閉じる曲面が形成されており、それは中央部から外方へ向って凸曲面となる部分２７ａ、２８ａを有し、また、係合子３７、３８との係合により開閉レバー３１、３２を基端部で閉じ、先端部で開いた状態に保つ凹曲面となる部分２７ｂ、２８ｂを有している（図５参照）。【００２４】  なお、本発明に係るコネクター類１０の大きさに言及すると、引っ掛かり部２３、２４の外寸はおよそ０．５×２．５ｍｍ、開閉レバー３１、３２の幅は約３ｍｍ、長さ１６ｍｍ余り、図１に示した差し込み部１２について幅約６ｍｍ、高さ約８ｍｍ、ストラップ類の取り付け部１４までの全長でも３０ｍｍ足らずである。このように、本発明の装置は精密加工技術の分野に属することが理解されるであろう。【００２５】  実施形態として示した本体１１は、図３に詳細に示した前後の二部材４０、４１によって形成されており、これら二部材４０、４１は夫々プラスチック成形によって設けられ、その内部に接続部材とその操作のための部材及び機構を前記のよう組み込んだ構造を備えている。上記二部材４０、４１は、相互に嵌合する凸部から成る嵌合手段４２と凹部から成る嵌合相手４３を有しており、これらの嵌合によって一体に組み合される。上記二部材の先端部１２Ａ、１２Ｂは、一体に組み合わさって差し込み部１２を構成する。【００２６】  本発明に係る接続装置において、コネクター類１０は、本体１１の一端側に差し込み部１２を設けて携帯型電子機器１５との接続側とし、その本体１１の反対側の位置に、ストラップ類の取り付け部１４を有している。上記取り付け部１４は、その一端側に二段に設けられた鍔状係止部４４、４４によって、本体１１内部に取り付けた固定部４５と、ストラップ類の取り付け部４６に取り付けられる。本発明のコネクター類１０とストラップ類の取り付け部１４とはこのように二重の係止構造により取り付けられているので、万が一本体１１が割れるような事態が起きても、なお固定部４５に係止されており、ストラップ類の取り付け部１４にて脱落してしまうようなことが防止される。なお、図示の例では、取り付け部１４が回転可能に本体１１に取り付けられており、かつ、取り付け部１４にはストラップ類４７を取り付けることができる。【００２７】  本発明に係る携帯型電子機器におけるコネクター類の接続装置は、上記のように構成されているので、開閉レバー３１、３２が閉じた位置となるように操作部材１３を基端部方向へスライド操作しておいてから、携帯型電子機器１５の接続口１６にコネクター類１０の差し込み部１２を差し込む。このようにすることで、開閉レバー３１、３２の先端の引っ掛かり部２３、２４はバネ体２１の最奥部までほとんど抵抗なく入り込める。次いで操作部材１３を先端部方向へスライド操作すると、係合子３７、３８とカム部２７、２８におけるカム係合により開閉レバー３１、３２の先端部が開くように作用する。そのため、引っ掛かり部２３、２４は内蔵バネ１７、１８の突部１９、２０の奥の凹状構造に入り込んで、開閉レバー３１、３２が突部１９、２０を挟み込む。また、基端部側においては、係合子３７、３８が移動して凹曲面の部分２７ｂ、２８ｂと係合し、同時にクリック感が得られる（図５）。内蔵バネ１７、１８はこの挟み込みに弾性的反力として作用し、弾性的反力によりロックが掛かった状態となる。【００２８】  結合状態からコネクター類１０を解除するには、操作部１３を基端部方向へスライドさせることで、引っ掛かり部２３、２４の幅を差し込み部１２の幅内に狭め、その後さらにコネクター類１０を引き抜けば良い。このように構成されている本発明によれば、接続したコネクター類１０が携帯型電子機器１５から簡単に外れることはない。また、コネクター類１０には前述の如くストラップ類４７を取り付けることができるので、逆に、ストラップ類４７から携帯型電子機器１５が落下することを防止することができる。
【図面の簡単な説明】
【００２９】
【図１】本発明に係る接続装置を適用した携帯型電子機器におけるコネクター類の一例を示す斜視図である。
【図２】同上の装置の使用状態の一例を示す外観の斜視図である。
【図３】同上の装置におけるコネクター類を分解して示す斜視図である。
【図４】同上の装置におけるコネクター類の内部構造を示す縦断面図である。
【図５】同じく本発明に係る接続装置を携帯型電子機器に接続した状態の一例を示す縦断面図である。
【符号の説明】
【００３０】  １０  コネクター類  １１  本体  １２  差し込み部  １３  操作部材  １４  ストラップ類の取り付け部  １５  携帯型電子機器  １６  接続口  １７、１８  内蔵バネ  １９、２０  突部  ２１  バネ体  ２２  外壁部分  ２３、２４引っ掛かり部  ２５、２６  湾入部  ２７、２８  カム部  ２９、３０  支点  ３１、３２  開閉レバー（接続部材）  ３３  縦材  ３４  部材  ３５、３６  支軸  ３７、３８  係合子  ３９  開口  ４０、４１  本体を構成する二部材  ４２  嵌合手段  ４３  嵌合相手  ４４  鍔状の係止部  ４５  固定部  ４６  ストラップ類の取付け部  ４７  ストラップ類
【図１】
2016103363.tif 000003
【図２】
2016103363.tif 000004
【図３】
2016103363.tif 000005
【図４】
2016103363.tif 000006
【図５】
2016103363.tif 000007
【国際調査報告】
2016103363.tif 000008
2016103363.tif 000009
2016103363.tif 000010
2016103363.tif 000011